(57)【特許請求の範囲】
【請求項１】
電気電子機器収納箱の筐体の換気口の周囲に固定されたベース部材に取り付けられる換気装置であって、
フードの下部の開口に対しフィルタユニットを着脱自在とするように形成されており、
前記フィルタユニットは、後端が前記ベース部材に固定された状態で前端が開放されている２つの保持部材によりフィルタを挟持するものであり、
前記フードを取り付けることで前記２つの保持部材により形成される前端の開放が塞がれることを特徴とする換気装置。
【請求項２】
前記ベース部材に、前記フィルタユニットの２つの保持部材同士の接合部分の外側を覆うための覆い部が形成されていることを特徴とする、請求項１に記載の換気装置。
【発明の詳細な説明】
【技術分野】
【０００１】
本発明は、電気電子機器収納箱等の換気口に外付けされる換気装置に関する。
【背景技術】
【０００２】
電気電子機器収納箱においては、筐体に設けられる換気口に防塵および防水性能を確保した換気装置が備えられている（例えば特許文献１参照）。従来、風雨の吹き込みを防止するためのフードが外付けされるタイプの換気装置は、フードの下開口部に防塵用のフィルタが予め取り付けられている。
【先行技術文献】
【特許文献】
【０００３】
【特許文献１】特開２００３−１８８５７０号公報
【発明の概要】
【発明が解決しようとする課題】
【０００４】
従来の換気装置は、フードの開口部にフィルタが予め取り付けられているため、電気電子機器収納箱の設置環境等、必要に応じてフードの防塵および防水性能を増強したり、削減したりすることが困難であった。
そこで、本発明は、必要に応じて容易に防塵および防水性能を容易に増強および削減できる換気装置を提供することを目的としている。
【課題を解決するための手段】
【０００５】
上記課題を解決するためになされた本発明は、電気電子機器収納箱の筐体の換気口の周囲に固定されたベース部材に取り付けられる換気装置であって、フードの下部の開口に対しフィルタユニットを着脱自在とするように形成されており、前記フィルタユニットは、後端が前記ベース部材に固定された状態で前端が開放されている２つの保持部材によりフィルタを挟持するものであり、前記フードを取り付けることで前記２つの保持部材により形成される前端の開放が塞がれることを特徴とするものである。
【０００６】
この構成の換気装置によれば、必要に応じてフィルタユニットを交換し、フードの防塵および防水性能を容易に増強したり、削減したりすることができる。
【０００７】
【０００８】
【０００９】
【００１０】
【００１１】
【００１２】
この構成の換気装置によれば、必要に応じてフィルタユニットを交換し、フードの防塵および防水性能を容易に増強したり、削減したりすることができる。
また、２つの保持部材によりフィルタを挟持するため、カバー取付時にフィルタの変形等を防止することができる。また、２つの保持部材を同一構造とすれば、共通部品として部品種類を減らすこともできる。
【００１３】
また、換気装置は、前記フードを固定するベース部材に、前記フィルタユニットの前記少なくとも２つの保持部材同士の接合部分の外側を覆うための覆い部が形成されていることが好ましい。
【００１４】
このような覆い部を設けることにより、フィルタユニットの取付面とベース部材との隙間から塵等が侵入しないようにすることができ、防塵防水性能を更に向上させることができる。
【発明の効果】
【００１５】
本発明の換気装置によれば、電気電子機器収納箱の設置環境等、必要に応じて防塵および防水性能を容易に増強したり、削減したりすることができる。
【図面の簡単な説明】
【００１６】
【図１】参考形態の換気装置を前上方から見た斜視図である。
【図２】参考形態の換気装置を後上方から見た斜視図である。
【図３】参考形態の換気装置を後下方から見た分解斜視図である。
【図４】（ａ）はフィルタユニットが挿入途中の換気装置の縦断面図、（ｂ）はフィルタユニットが挿入された状態の換気装置の縦断面図である。
【図５】参考形態の換気装置を後上方から見た斜視図である。
【図６】フィルタユニットが挿入途中の換気装置を後上方から見た斜視図である。
【図７】本発明の実施形態による換気装置を前上方から見た分解斜視図である。
【図８】実施形態の換気装置を前下方から見た斜視図である。
【図９】フィルタの保持部材の構成を示す斜視図である。
【発明を実施するための形態】
【００１７】
図１から図６は本発明の参考形態の換気装置１０を示す図である。図１は換気装置１０を前上方から見た斜視図である。図２は換気装置１０を後上方から見た斜視図である。図３は換気装置１０を後下方から見た分解斜視図である。
【００１８】
換気装置１０は、電気電子機器収納箱の換気口を介して風雨や埃が直接吹き込まないようにするために、電気電子機器収納箱の筐体（図示略）に外付けされる装置である。特に図２に示すように、フード１１は、それぞれ金属製の上板１１ａ、側板１１ｂ、前傾斜板１１ｃを備え、裏面側および下部側が開放された形態を有している。このような態様のフード１１は、例えば前傾斜板１１ｃと側板１１ｂとをプレス加工後、前傾斜板１１ｃと側板１１ｂの上端に上板１１ａを板金溶接することで形成することができる。
【００１９】
フード１１の裏面開口１５は、電気電子機器収納箱の換気口への取付側であり、図示はしないがフード１１が電気電子機器収納箱の筐体に外付けされると、当該フード１１の下部に筐体の外面を含んで下部開口１６が画成されることとなる。なお、フード１１の下部に左右の側板１１ｂ、１１ｂ間にリブを渡して開口するものであってもよい。
【００２０】
フード１１の上板１１ａおよび側板１１ｂ、１１ｂの後端は、それぞれ内側に折り曲げられた折曲片１１ｅが形成され、その折曲片１１ｅに倒コ字状のパッキン１２が貼り付けられる。防水性のパッキン１２を介して、フード１１が折曲片１１ｅの四隅を貫通するネジ１３、１３、・・・で筐体の外側に固定されることにより、筐体の壁面を伝わり落ちる水滴等の浸入を防ぐことができる。
【００２１】
フード１１の側板１１ｂ、１１ｂの下端中央部は、下部開口１６において互いに対向する向きに折り返された折返片１１ｄ、１１ｄが形成されている。折返片１１ｄ、１１ｄの中央にはタップが切られたネジ穴が形成され、そのネジ穴に防虫網ユニット３０のフレーム３２が下部開口１６を塞ぐようにしてネジ止めされる。
【００２２】
本実施形態の換気装置１０は、図３〜６に示すように、フード１１の下部開口１６に対しフィルタユニット２０が着脱自在とするように形成されている。すなわち、フィルタユニット２０は、フード１１の背後すなわち、筐体への取付面側から下部開口１６にスライドさせてフード１１に挿脱可能とされる。パッキン１２が取り付けられる折曲片１１ｅの下端のほうが側板１１ｂの下端よりも高い位置にあり、それにより生じる間隙にフィルタユニット２０が挿入される。
【００２３】
フード１１による防水性を確保するためには、側板１１ｂの下端および折曲片１１ｅの間隙の大きさがフィルタユニット２０の厚みと同程度であることが望ましい。そして、筐体の外面に当接するフィルタユニット２０の後部側のフレーム端部にパッキン２２が貼り付けられることにより、筐体の換気口をパッキン１２、２２で包囲することができる。
【００２４】
ここで、フィルタユニット２０は、四角枠状の保持フレーム２３にフィルタ２１が保持されて形成される。保持フレーム２３の前端部、つまりフィルタユニット２０がフード１１に挿入され、フード１１の前傾斜板１１ｃの裏面に当接する部分には反発部が形成されている。反発部は、例えば保持フレーム２３の一部が分離して斜めに折れ曲がる弾性片２４である。図４（ａ）に示すように、弾性片２４は、フード１１の裏面（前傾斜板１１ｃ）に対応した角度で当該裏面に向け開く側に弾性力を作用させる当接面を有している。
なお、反発部として、保持フレーム２３のフード１１の前傾斜板１１ｃの裏面に当接する面にパッキンなどを貼り付けるものであっても良い。
【００２５】
また、特に図３に示されるように、フィルタユニット２０の保持フレーム２３の下部には、中央に切欠き２３ｂを有するフィルタ規制片２３ａが形成されている。フィルタユニット２０がフード１１の所定位置にまで挿入されると、保持フレーム２３の前端部の反発部（弾性片２４）がフード１１の裏面に当接し、フィルタユニット２０を排出する側に弾性力が生じる。なお、フィルタ規制片２３ａの切欠き２３ｂは、防虫網ユニット３０のフード１１の折返片１１ｄへのネジの逃げ部として使用されるとともに、フード１１の折返片１１ｄが嵌り込むことにより、フィルタユニット２０の移動が規制される（図４（ｂ）、図５参照）。
【００２６】
このように、フード１１の下部開口１６にフィルタユニット２０を着脱自在とするようにしたことにより、電気電子機器収納箱の設置環境等に応じて例えば最適な目付量としたフィルタユニット２０に交換することができる。これにより、必要に応じて容易にフード１１の防塵および防水性能を増強したり、削減したりすることができる。
【００２７】
また、フィルタユニット２０は、フィルタユニット２０の後部側のフレーム端部に形成したパッキン２２により、電気電子機器収納箱の換気口がある筐体取付面とフード１１との間で反発力を生じさせて挟持されるため、フード１１の裏面とフィルタユニット２０の弾性片２４、フィルタユニット２０の後端部のパッキン２２と筐体の外面間とにより互いに反発力を与えるものとなるため、フィルタユニット２０の密着性を高め、フード１１の防塵防水性を高めることができる。
【００２８】
また、フィルタユニット２０は、保持フレーム２３の下部の切欠き２３ｂに、フード１１の折返片１１ｄが嵌り込むことにより、フィルタユニット２０がフード１１から抜け止めされる構造である。そのため、フィルタユニット２０をフード１１に取り付けるためのネジ等が不要であり、ネジがフィルタを貫通することによる繊維のほつれや、フィルタを潰すことがない等、防塵防水性を安定的に確保することができる。
【００２９】
また、フード１１の下部開口１６に取り付けられた防虫網ユニット３０（またはフレーム３２）が、フィルタユニット２０をフード１１から挿脱する際のガイドとしても機能させることができる。更には、予期しない振動や衝撃等によるフィルタユニット２０の脱落を防止することができる。
【００３０】
次に本発明の実施形態である換気装置５０を説明する。ここで図７は換気装置５０を前上方から見た分解斜視図である。図８は換気装置５０を前下方から見た斜視図である。
【００３１】
換気装置５０は、第１の実施形態と同様に、電気電子機器収納箱の換気口に外付けされ、風雨や埃が筐体１００内に直接吹き込まないようにするために、ルーバ５２を覆うフード状のカバー６０を備えている。カバー６０は、筐体１００に固定されたベース部材であるベースプレート５１に前方から取り付けられる。
【００３２】
フィルタユニット７０は、ベースプレート５１の下部とカバー６０との間で、カバー６０の下部開口を塞ぐ位置に装着される。フィルタユニット７０は、２つの保持部材７２ａ、７２ｂにフィルタ７１が挟持されてなる。
【００３３】
図９にフィルタ７１の保持部７２（７２ａ、７２ｂ）の構成を例示する。保持部７２は、それぞれ同一構造の２つの保持部材７２ａ、７２ｂから形成される。保持部材７２ａ、７２ｂは、プレス成形加工により形成される例えば板金部材であり、ここでは保持部材７２ａのみを代表して説明する。
【００３４】
保持部材７２ａは、内側でフィルタ７１に当接し挟持する平坦な面を有する挟持部７２ａａを備える。フィルタ７１の有効面積を侵食しないようにするために、挟持部７２ａａには、パンチ孔７２ａｄ、７２ａｆや切欠き７２ａｅが複数適宜に形成されている。また、挟持部７２ａａの後端２箇所に折れ部７２ａｂ、７２ａｃが形成され、それらの間隔は折れ部７２ａｃの長さに対応している。
【００３５】
２つの保持部材７２ａ、７２ｂは、互いに対向させて組み立てられる。このとき、上側の保持部材７２ａの折れ部７２ａｂ、７２ａｃの間に下側の保持部材７２ｂの折れ部７２ｂｃが入り込み、下側の保持部材７２ｂの折れ部７２ｂｂ、７２ｂｃの間に上側の保持部材７２ａの折れ部７２ａｃが入り込み、両部材同士が接合される。
【００３６】
このように、フィルタユニット７０は、２つの保持部材７２ａ、７２ｂがフィルタ７１を挟持して、ベースプレート５１に取り付けられる。これにより、ベースプレート５１に対しカバー６０が着脱可能な構成であっても、カバー６０をベースプレート５１に取り付ける際にフィルタ７１の変形等を防止することができる。また、２つの保持部材７２ａ、７２ｂは同一構造であるため、共通部品として部品種類を減らすこともできる。
【００３７】
なお、カバー６０を固定するベースプレート５１の下部には、フィルタユニット７０の保持部材７２ａ、７２ｂ同士の接合部分、つまり互い違いに配置される折れ部７２ａｂ、７２ｂｃ、７２ａｃ、７２ｂｂの外側を覆う覆い部５３が形成されていることが好ましい。
【００３８】
このような覆い部５３により、フィルタユニット７０の取付面とベースプレート５１との隙間から塵等が侵入しないようにすることができ、防塵防水性能を更に向上させることができる。
【符号の説明】
【００３９】
１０  換気装置
１１  フード
１１ａ  上板
１１ｂ  側板
１１ｃ  前傾斜板
１１ｄ  折返片
１１ｅ  折曲片
１２  パッキン
１３  ネジ
１５  裏面開口
１６  下部開口
２０  フィルタユニット
２１  フィルタ
２２  パッキン
２３  保持フレーム
２４  弾性片
３０  防虫網ユニット
３１  防虫網
３２  フレーム
５０  換気装置
５１  ベースプレート
５２  ルーバ
５３  覆い部
６０  カバー（フード）
７０  フィルタユニット
７１  フィルタ
７２  保持部
７２ａ、ｂ  保持部材
【図１】
0006794016.tif 000002
【図２】
0006794016.tif 000003
【図３】
0006794016.tif 000004
【図４】
0006794016.tif 000005
【図５】
0006794016.tif 000006
【図６】
0006794016.tif 000007
【図７】
0006794016.tif 000008
【図８】
0006794016.tif 000009
【図９】
0006794016.tif 000010